【手続補正書】
【提出日】平成28年11月21日(2016.11.21)
【手続補正１】
【補正対象書類名】明細書
【補正対象項目名】００４１
【補正方法】変更
【補正の内容】
【００４１】
本発明をその例示的な実施形態を参照しつつ具体的に示して説明してきたが、添付の請求の範囲に包含される本発明の範囲を逸脱することなく、さまざまな形および詳細の変更がなされ得ることが、当業者によって理解されるであろう。
〔態様１〕
モバイル装置のためのローミングサービスを処理する方法であって、
ホーム通信ネットワークに加入しているユーザネットワーク装置であって、訪問先通信ネットワークにローミングしているユーザネットワーク装置のデータアクセス要求をハブ・ブレイクアウト・システムで受信することと、
前記ハブ・ブレイクアウト・システムが、インターネットプロトコル（ＩＰ）アドレスを前記ユーザネットワーク装置に割り当てることと、
前記ハブ・ブレイクアウト・システムが、前記ユーザネットワーク装置による前記データアクセス要求に関連するデータパケットを、前記割り当てられたＩＰアドレスを用いて、少なくとも１つの対応するデータソースとの間でルーティングすることとを備えた、方法。
〔態様２〕
態様１に記載の方法において、さらに、
前記ハブ・ブレイクアウト・システム内のゲートウェイモジュールを選択することであって、前記ゲートウェイモジュールが、前記ＩＰアドレスを前記ユーザネットワーク装置に割り当てる、ことを備えた、方法。
〔態様３〕
態様２に記載の方法において、さらに
前記ホーム通信ネットワークに、前記選択されたゲートウェイモジュールの指示を送信することと、
前記選択されたゲートウェイモジュールと、前記ホーム通信ネットワークに関連付けられた別のゲートウェイモジュールとの間における接続を確立させることであって、前記確立された接続が、前記データアクセス要求に関連するデータパケットを前記ホーム通信ネットワークと交換するために用いられる、こととを備えた、方法。
〔態様４〕
態様２に記載の方法において、
前記ゲートウェイモジュールが、
前記訪問先通信ネットワーク、
前記ホーム通信ネットワーク、
ユーザのグループ、
前記選択されるゲートウェイモジュール、前記訪問先通信ネットワーク、または前記ホーム通信ネットワークの地理的位置、
ビジネス上の理由、
対応する通信経路における遅延、および
対応する通信リンクの能力
のうちの少なくとも１つに基づいて選択される、方法。
〔態様５〕
態様３に記載の方法において、前記接続が、前記ハブ・ブレイクアウト・システムと前記訪問先通信ネットワークとの間で確立される汎用無線パケットサービス（ＧＰＲＳ）トンネリングプロトコル（ＧＴＰ）トンネルである、方法。
〔態様６〕
態様３に記載の方法において、
前記ホーム通信ネットワークに、前記選択されたゲートウェイモジュールの指示を送信することが、
前記ホーム通信ネットワークから受信したサービスプロファイルであって、前記ユーザネットワーク装置のユーザのサービスプロファイルを修正することと、
前記修正されたサービスプロファイルを前記訪問先ネットワークに送信することとを含む、方法。
〔態様７〕
態様１に記載の方法において、
前記少なくとも１つのデータソースが、
インターネットネットワーク、および
前記ホーム通信ネットワークのプライベートネットワーク
のうちの少なくとも１つを含む、方法。
〔態様８〕
態様１に記載の方法において、さらに、
前記ハブ・ブレイクアウト・システムで、１つまたは複数のＩＰアドレスを含むプライベートサブネットを、前記ホーム通信ネットワークに対して指定することを備えた、方法。
〔態様９〕
態様１に記載の方法において、前記データパケットをルーティングすることが、前記ユーザネットワーク装置に割り当てられた前記ＩＰアドレスに基づいてデータパケットをルーティングするための１つまたは複数のルーティングポリシを用いることを含む、方法。
〔態様１０〕
態様１に記載の方法において、前記ＩＰアドレスをルーティングすることが、プライベートＩＰアドレスまたはパブリックＩＰアドレスを含む、方法。
〔態様１１〕
態様１に記載の方法において、さらに、
前記データアクセス要求に付随する課金データを前記ホーム通信ネットワークに送信することを備えた、方法。
〔態様１２〕
態様１に記載の方法において、前記ホーム通信ネットワークおよび前記訪問先通信ネットワークが、無線ネットワークである、方法。
〔態様１３〕
態様１に記載の方法において、
前記ユーザネットワーク装置が、
モバイル装置、
タブレットコンピュータ、および
ラップトップコンピュータ
のうちの少なくとも１つである、方法。
〔態様１４〕
態様１に記載の方法において、
前記データアクセス要求が、
音声サービス、
メッセージサービス、
映像サービス、および
データサービス
のうちの少なくとも１つにアクセスする要求である、方法。
〔態様１５〕
ホーム通信ネットワークに加入しているユーザネットワーク装置であって、訪問先通信ネットワークにローミングしているユーザネットワーク装置のデータアクセス要求を受信し、インターネットプロトコル（ＩＰ）アドレスを前記ユーザネットワーク装置に割り当てる、ゲートウェイサブシステムと、
前記ユーザネットワーク装置による前記データアクセス要求に関連するデータパケットを、前記割り当てられたＩＰアドレスを用いて、少なくとも１つの対応するデータソースとの間でルーティングする、ルータサブシステムとを備えた、ハブ・ブレイクアウト通信システム。
〔態様１６〕
態様１５に記載のハブ・ブレイクアウト通信システムにおいて、前記ゲートウェイサブシステムが、さらに、
前記ハブ・ブレイクアウト通信システム内のゲートウェイモジュールであって、前記ＩＰアドレスを前記ユーザネットワーク装置に割り当てるゲートウェイモジュールを選択する、ハブ・ブレイクアウト通信システム。
〔態様１７〕
態様１６に記載のハブ・ブレイクアウト通信システムにおいて、
前記ゲートウェイサブシステムが、さらに
前記ホーム通信ネットワークに、前記選択されたゲートウェイモジュールの指示を送信し、
前記選択されたゲートウェイモジュールと、前記ホーム通信ネットワークに関連付けられた別のゲートウェイモジュールとの間で接続を確立させ、前記確立された接続が、前記データアクセス要求に関連するデータパケットを前記ホーム通信ネットワークと交換するために用いられる、ハブ・ブレイクアウト通信システム。
〔態様１８〕
態様１６に記載のハブ・ブレイクアウト通信システムにおいて、
前記ゲートウェイモジュールが、
前記訪問先通信ネットワーク、
前記ホーム通信ネットワーク、
ユーザのグループ、
前記選択されるゲートウェイモジュール、前記訪問先通信ネットワーク、または前記ホーム通信ネットワークの地理的位置、
ビジネス上の理由、
対応する通信経路における遅延、および
対応する通信リンクの能力
のうちの少なくとも１つに基づいて選択される、ハブ・ブレイクアウト通信システム。
〔態様１９〕
態様１７に記載のハブ・ブレイクアウト通信システムにおいて、前記接続が、前記ハブ・ブレイクアウト通信システムと前記訪問先通信ネットワークとの間で確立される汎用無線パケットサービス（ＧＰＲＳ）トンネリングプロトコル（ＧＴＰ）トンネルである、ハブ・ブレイクアウト通信システム。
〔態様２０〕
態様１７に記載のハブ・ブレイクアウト通信システムにおいて、
前記選択されたゲートウェイモジュールの指示を前記ホーム通信ネットワークに送信するゲートウェイサブシステムが、
前記ホーム通信ネットワークから受信したサービスプロファイルであって、前記ユーザネットワーク装置のユーザのサービスプロファイルを修正することと、
前記修正されたサービスプロファイルを前記訪問先ネットワークに送信することとを含む、ハブ・ブレイクアウト通信システム。
〔態様２１〕
態様１５に記載のハブ・ブレイクアウト通信システムにおいて、
前記少なくとも１つのデータソースが、
インターネットネットワーク、および
前記ホーム通信ネットワークのプライベートネットワーク
のうちの少なくとも１つを含む、ハブ・ブレイクアウト通信システム。
〔態様２２〕
態様１５に記載のハブ・ブレイクアウト通信システムにおいて、前記ルータサブシステムが、さらに、
前記ハブ・ブレイクアウト通信システムで、１つまたは複数のＩＰアドレスを含むプライベートサブネットを、前記ホーム通信ネットワークに対して指定する、ハブ・ブレイクアウト通信システム。
〔態様２３〕
態様１５に記載のハブ・ブレイクアウト通信システムにおいて、前記データパケットをルーティングする前記ルーティングサブシステムが、
前記ユーザネットワーク装置に割り当てられた前記ＩＰアドレスに基づいてデータパケットをルーティングするための１つまたは複数のルーティングポリシを用いることを含む、ハブ・ブレイクアウト通信システム。
〔態様２４〕
態様１５に記載のハブ・ブレイクアウト通信システムにおいて、前記ＩＰアドレスをルーティングする前記ルーティングサブシステムが、
プライベートＩＰアドレスまたはパブリックＩＰアドレスを含む、ハブ・ブレイクアウト通信システム。
〔態様２５〕
態様１５に記載のハブ・ブレイクアウト通信システムにおいて、さらに、
前記データアクセス要求に付随する課金データを前記ホーム通信ネットワークに送信する課金ゲートウェイを備えた、ハブ・ブレイクアウト通信システム。
〔態様２６〕
態様１５に記載のハブ・ブレイクアウト通信システムにおいて、前記ホーム通信ネットワークおよび前記訪問先通信ネットワークが、無線ネットワークである、ハブ・ブレイクアウト通信システム。
〔態様２７〕
態様１５に記載のハブ・ブレイクアウト通信システムにおいて、
前記ユーザネットワーク装置が、
モバイル装置、
タブレットコンピュータ、および
ラップトップコンピュータ
のうちの少なくとも１つである、ハブ・ブレイクアウト通信システム。
〔態様２８〕
態様１５に記載のハブ・ブレイクアウト通信システムにおいて、
前記データアクセス要求が、
音声サービス、
メッセージサービス、
映像サービス、および
データサービス
のうちの少なくとも１つにアクセスする要求である、ハブ・ブレイクアウト通信システム。
〔態様２９〕
コンピュータコード命令を記憶した非一時的なコンピュータ可読媒体であって、
前記コンピュータコード命令が、
ホーム通信ネットワークに加入しているユーザネットワーク装置であって、訪問先通信ネットワークにローミングしているユーザネットワーク装置のデータアクセス要求を受信する手順と、
インターネットプロトコル（ＩＰ）アドレスを前記ユーザネットワーク装置に割り当てる手順と、
前記ユーザネットワーク装置による前記データアクセス要求に関連するデータパケットを、前記割り当てられたＩＰアドレスを用いて、少なくとも１つの対応するデータソースとの間でルーティングする手順とを、少なくとも１つのプロセッサによる実行時に、ハブ・ブレイクアウト・システムに実行させる、非一時的なコンピュータ可読媒体。
〔態様３０〕
態様２９に記載の非一時的なコンピュータ可読媒体において、前記コンピュータコード命令が、さらに、
前記ハブ・ブレイクアウト・システム内のゲートウェイモジュールを選択する手順であって、前記ゲートウェイモジュールが、前記ＩＰアドレスを前記ユーザネットワーク装置に割り当てる、手順を、前記ハブ・ブレイクアウト・システムに実行させる、非一時的なコンピュータ可読媒体。
〔態様３１〕
態様３０に記載の非一時的なコンピュータ可読媒体において、前記コンピュータコード命令が、さらに、
前記ホーム通信ネットワークに、前記選択されたゲートウェイモジュールの指示を送信する手順と、
前記選択されたゲートウェイモジュールと、前記ホーム通信ネットワークに関連付けられた別のゲートウェイモジュールとの間における接続を確立させる手順であって、前記確立された接続が、前記データアクセス要求に関連するデータパケットを前記ホーム通信ネットワークと交換するために用いられる、手順とを、前記ハブ・ブレイクアウト・システムに実行させる、非一時的なコンピュータ可読媒体。
〔態様３２〕
態様３０に記載の非一時的なコンピュータ可読媒体において、
前記ゲートウェイモジュールが、
前記訪問先通信ネットワーク、
前記ホーム通信ネットワーク、
ユーザのグループ、
前記選択されるゲートウェイモジュール、前記訪問先通信ネットワーク、または前記ホーム通信ネットワークの地理的位置、
ビジネス上の理由、
対応する通信経路における遅延、および
対応する通信リンクの能力
のうちの少なくとも１つに基づいて選択される、非一時的なコンピュータ可読媒体。
〔態様３３〕
態様３１に記載の非一時的なコンピュータ可読媒体において、前記接続が、前記ハブ・ブレイクアウト・システムと前記訪問先通信ネットワークとの間で確立される汎用無線パケットサービス（ＧＰＲＳ）トンネリングプロトコル（ＧＴＰ）トンネルである、非一時的なコンピュータ可読媒体。
〔態様３４〕
態様３１に記載の非一時的なコンピュータ可読媒体において、
前記ホーム通信ネットワークに、前記選択されたゲートウェイモジュールの指示を送信する手順が、
前記ホーム通信ネットワークから受信したサービスプロファイルであって、前記ユーザネットワーク装置のユーザのサービスプロファイルを修正する手順と、
前記修正されたサービスプロファイルを前記訪問先ネットワークに送信する手順とを含む、非一時的なコンピュータ可読媒体。
〔態様３５〕
態様２９に記載の非一時的なコンピュータ可読媒体において、
前記少なくとも１つのデータソースが、
インターネットネットワーク、および
前記ホーム通信ネットワークのプライベートネットワーク
のうちの少なくとも１つを含む、非一時的なコンピュータ可読媒体
〔態様３６〕
態様２９に記載の非一時的なコンピュータ可読媒体において、前記コンピュータコード命令が、さらに、
前記ハブ・ブレイクアウト・システムで、１つまたは複数のＩＰアドレスを含むプライベートサブネットを、前記ホーム通信ネットワークに対して指定する手順を、前記ハブ・ブレイクアウト・システムに実行させる、非一時的なコンピュータ可読媒体。
〔態様３７〕
態様２９に記載の非一時的なコンピュータ可読媒体において、
前記データパケットをルーティングする手順が、
前記ユーザネットワーク装置に割り当てられた前記ＩＰアドレスに基づいてデータパケットをルーティングするための１つまたは複数のルーティングポリシを用いることを含む、非一時的なコンピュータ可読媒体。
〔態様３８〕
態様２９に記載の非一時的なコンピュータ可読媒体において、
前記ＩＰアドレスをルーティングする手順が、
プライベートＩＰアドレスまたはパブリックＩＰアドレスを含む、非一時的なコンピュータ可読媒体。
〔態様３９〕
態様２９に記載の非一時的なコンピュータ可読媒体において、
前記コンピュータコード命令が、さらに、
前記データアクセス要求に付随する課金データを前記ホーム通信ネットワークに送信する手順を、前記ハブ・ブレイクアウト・システムに実行させる、非一時的なコンピュータ可読媒体。
〔態様４０〕
態様２９に記載の非一時的なコンピュータ可読媒体において、前記ホーム通信ネットワークおよび前記訪問先通信ネットワークが、無線ネットワークである、非一時的なコンピュータ可読媒体。
〔態様４１〕
態様２９に記載の非一時的なコンピュータ可読媒体において、
前記ユーザネットワーク装置が、
モバイル装置、
タブレットコンピュータ、および
ラップトップコンピュータ
のうちの少なくとも１つである、非一時的なコンピュータ可読媒体。
〔態様４２〕
態様２９に記載の非一時的なコンピュータ可読媒体において、
前記データアクセスの要求が、
音声サービス、
メッセージサービス、
映像サービス、および
データサービス
のうちの少なくとも１つにアクセスする要求である、非一時的なコンピュータ可読媒体。
【手続補正２】
【補正対象書類名】特許請求の範囲
【補正対象項目名】全文
【補正方法】変更
【補正の内容】
【特許請求の範囲】
【請求項１】
モバイル装置のためのローミングサービスを処理する方法であって、
ホーム通信ネットワークに加入しているユーザネットワーク装置であって、訪問先通信ネットワークにローミングしているユーザネットワーク装置のデータアクセス要求をハブ・ブレイクアウト・システムで受信することと、
前記ハブ・ブレイクアウト・システムが、インターネットプロトコル（ＩＰ）アドレスを前記ユーザネットワーク装置に割り当てることと、
前記ハブ・ブレイクアウト・システムが、前記ユーザネットワーク装置による前記データアクセス要求に関連するデータパケットを、前記割り当てられたＩＰアドレスを用いて、少なくとも１つの対応するデータソースとの間でルーティングすることとを備えた、方法。
【請求項２】
請求項１に記載の方法において、さらに、
前記ハブ・ブレイクアウト・システム内のゲートウェイモジュールを選択することであって、前記ゲートウェイモジュールが、前記ＩＰアドレスを前記ユーザネットワーク装置に割り当てる、ことを備えた、方法。
【請求項３】
請求項２に記載の方法において、さらに
前記ホーム通信ネットワークに、前記選択されたゲートウェイモジュールの指示を送信することと、
前記選択されたゲートウェイモジュールと、前記ホーム通信ネットワークに関連付けられた別のゲートウェイモジュールとの間における接続を確立させることであって、前記確立された接続が、前記データアクセス要求に関連するデータパケットを前記ホーム通信ネットワークと交換するために用いられる、こととを備えた、方法。
【請求項４】
請求項２に記載の方法において、
前記ゲートウェイモジュールが、
前記訪問先通信ネットワーク、
前記ホーム通信ネットワーク、
ユーザのグループ、
前記選択されるゲートウェイモジュール、前記訪問先通信ネットワーク、または前記ホーム通信ネットワークの地理的位置、
ビジネス上の理由、
対応する通信経路における遅延、および
対応する通信リンクの能力
のうちの少なくとも１つに基づいて選択される、方法。
【請求項５】
請求項３に記載の方法において、前記接続が、前記ハブ・ブレイクアウト・システムと前記訪問先通信ネットワークとの間で確立される汎用パケット無線サービス（ＧＰＲＳ）トンネリングプロトコル（ＧＴＰ）トンネルである、方法。
【請求項６】
請求項３に記載の方法において、
前記ホーム通信ネットワークに、前記選択されたゲートウェイモジュールの指示を送信することが、
前記ホーム通信ネットワークから受信したサービスプロファイルであって、前記ユーザネットワーク装置のユーザのサービスプロファイルを修正することと、
前記修正されたサービスプロファイルを前記訪問先通信ネットワークに送信することとを含む、方法。
【請求項７】
請求項１に記載の方法において、
前記少なくとも１つのデータソースが、
インターネットネットワーク、および
前記ホーム通信ネットワークのプライベートネットワーク
のうちの少なくとも１つを含む、方法。
【請求項８】
請求項１に記載の方法において、さらに、
前記ハブ・ブレイクアウト・システムで、１つまたは複数のＩＰアドレスを含むプライベートサブネットを、前記ホーム通信ネットワークに対して指定することを備えた、方法。
【請求項９】
請求項１に記載の方法において、前記データパケットをルーティングすることが、前記ユーザネットワーク装置に割り当てられた前記ＩＰアドレスに基づいてデータパケットをルーティングするための１つまたは複数のルーティングポリシを用いることを含む、方法。
【請求項１０】
請求項１に記載の方法において、前記ＩＰアドレスが、プライベートＩＰアドレスまたはパブリックＩＰアドレスである、方法。
【請求項１１】
請求項１に記載の方法において、さらに、
前記データアクセス要求に付随する課金データを前記ホーム通信ネットワークに送信することを備えた、方法。
【請求項１２】
請求項１に記載の方法において、前記ホーム通信ネットワークおよび前記訪問先通信ネットワークが、無線ネットワークである、方法。
【請求項１３】
請求項１に記載の方法において、
前記ユーザネットワーク装置が、
モバイル装置、
タブレットコンピュータ、および
ラップトップコンピュータ
のうちの少なくとも１つである、方法。
【請求項１４】
請求項１に記載の方法において、
前記データアクセス要求が、
音声サービス、
メッセージサービス、
映像サービス、および
データサービス
のうちの少なくとも１つにアクセスする要求である、方法。
【請求項１５】
ホーム通信ネットワークに加入しているユーザネットワーク装置であって、訪問先通信ネットワークにローミングしているユーザネットワーク装置のデータアクセス要求を受信し、インターネットプロトコル（ＩＰ）アドレスを前記ユーザネットワーク装置に割り当てる、ゲートウェイサブシステムと、
前記ユーザネットワーク装置による前記データアクセス要求に関連するデータパケットを、前記割り当てられたＩＰアドレスを用いて、少なくとも１つの対応するデータソースとの間でルーティングする、ルータサブシステムとを備えた、ハブ・ブレイクアウト通信システム。
【請求項１６】
請求項１５に記載のハブ・ブレイクアウト通信システムにおいて、前記ゲートウェイサブシステムが、さらに、
前記ハブ・ブレイクアウト通信システム内のゲートウェイモジュールであって、前記ＩＰアドレスを前記ユーザネットワーク装置に割り当てるゲートウェイモジュールを選択する、ハブ・ブレイクアウト通信システム。
【請求項１７】
請求項１６に記載のハブ・ブレイクアウト通信システムにおいて、
前記ゲートウェイサブシステムが、さらに
前記ホーム通信ネットワークに、前記選択されたゲートウェイモジュールの指示を送信し、
前記選択されたゲートウェイモジュールと、前記ホーム通信ネットワークに関連付けられた別のゲートウェイモジュールとの間で接続を確立させ、前記確立された接続が、前記データアクセス要求に関連するデータパケットを前記ホーム通信ネットワークと交換するために用いられる、ハブ・ブレイクアウト通信システム。
【請求項１８】
請求項１６に記載のハブ・ブレイクアウト通信システムにおいて、
前記ゲートウェイモジュールが、
前記訪問先通信ネットワーク、
前記ホーム通信ネットワーク、
ユーザのグループ、
前記選択されるゲートウェイモジュール、前記訪問先通信ネットワーク、または前記ホーム通信ネットワークの地理的位置、
ビジネス上の理由、
対応する通信経路における遅延、および
対応する通信リンクの能力
のうちの少なくとも１つに基づいて選択される、ハブ・ブレイクアウト通信システム。
【請求項１９】
請求項１７に記載のハブ・ブレイクアウト通信システムにおいて、前記接続が、前記ハブ・ブレイクアウト通信システムと前記訪問先通信ネットワークとの間で確立される汎用パケット無線サービス（ＧＰＲＳ）トンネリングプロトコル（ＧＴＰ）トンネルである、ハブ・ブレイクアウト通信システム。
【請求項２０】
請求項１７に記載のハブ・ブレイクアウト通信システムにおいて、
前記選択されたゲートウェイモジュールの指示を前記ホーム通信ネットワークに送信するゲートウェイサブシステムが、
前記ホーム通信ネットワークから受信したサービスプロファイルであって、前記ユーザネットワーク装置のユーザのサービスプロファイルを修正することと、
前記修正されたサービスプロファイルを前記訪問先通信ネットワークに送信することとを含む、ハブ・ブレイクアウト通信システム。
【請求項２１】
請求項１５に記載のハブ・ブレイクアウト通信システムにおいて、
前記少なくとも１つのデータソースが、
インターネットネットワーク、および
前記ホーム通信ネットワークのプライベートネットワーク
のうちの少なくとも１つを含む、ハブ・ブレイクアウト通信システム。
【請求項２２】
請求項１５に記載のハブ・ブレイクアウト通信システムにおいて、前記ルータサブシステムが、さらに、
前記ハブ・ブレイクアウト通信システムで、１つまたは複数のＩＰアドレスを含むプライベートサブネットを、前記ホーム通信ネットワークに対して指定する、ハブ・ブレイクアウト通信システム。
【請求項２３】
請求項１５に記載のハブ・ブレイクアウト通信システムにおいて、前記データパケットをルーティングする前記ルータサブシステムが、
前記ユーザネットワーク装置に割り当てられた前記ＩＰアドレスに基づいてデータパケットをルーティングするための１つまたは複数のルーティングポリシを用いることを含む、ハブ・ブレイクアウト通信システム。
【請求項２４】
請求項１５に記載のハブ・ブレイクアウト通信システムにおいて、前記ＩＰアドレスが、
プライベートＩＰアドレスまたはパブリックＩＰアドレスである、ハブ・ブレイクアウト通信システム。
【請求項２５】
請求項１５に記載のハブ・ブレイクアウト通信システムにおいて、さらに、
前記データアクセス要求に付随する課金データを前記ホーム通信ネットワークに送信する課金ゲートウェイを備えた、ハブ・ブレイクアウト通信システム。
【請求項２６】
請求項１５に記載のハブ・ブレイクアウト通信システムにおいて、前記ホーム通信ネットワークおよび前記訪問先通信ネットワークが、無線ネットワークである、ハブ・ブレイクアウト通信システム。
【請求項２７】
請求項１５に記載のハブ・ブレイクアウト通信システムにおいて、
前記ユーザネットワーク装置が、
モバイル装置、
タブレットコンピュータ、および
ラップトップコンピュータ
のうちの少なくとも１つである、ハブ・ブレイクアウト通信システム。
【請求項２８】
請求項１５に記載のハブ・ブレイクアウト通信システムにおいて、
前記データアクセス要求が、
音声サービス、
メッセージサービス、
映像サービス、および
データサービス
のうちの少なくとも１つにアクセスする要求である、ハブ・ブレイクアウト通信システム。
【請求項２９】
コンピュータコード命令を含むコンピュータプログラムであって、
前記コンピュータコード命令が、
ホーム通信ネットワークに加入しているユーザネットワーク装置であって、訪問先通信ネットワークにローミングしているユーザネットワーク装置のデータアクセス要求を受信する手順と、
インターネットプロトコル（ＩＰ）アドレスを前記ユーザネットワーク装置に割り当てる手順と、
前記ユーザネットワーク装置による前記データアクセス要求に関連するデータパケットを、前記割り当てられたＩＰアドレスを用いて、少なくとも１つの対応するデータソースとの間でルーティングする手順とを、少なくとも１つのプロセッサによる実行時に、ハブ・ブレイクアウト・システムに実行させる、コンピュータプログラム。
【請求項３０】
請求項２９に記載のコンピュータプログラムにおいて、前記コンピュータコード命令が、さらに、
前記ハブ・ブレイクアウト・システム内のゲートウェイモジュールを選択する手順であって、前記ゲートウェイモジュールが、前記ＩＰアドレスを前記ユーザネットワーク装置に割り当てる、手順を、前記ハブ・ブレイクアウト・システムに実行させる、コンピュータプログラム。
【請求項３１】
請求項３０に記載のコンピュータプログラムにおいて、前記コンピュータコード命令が、さらに、
前記ホーム通信ネットワークに、前記選択されたゲートウェイモジュールの指示を送信する手順と、
前記選択されたゲートウェイモジュールと、前記ホーム通信ネットワークに関連付けられた別のゲートウェイモジュールとの間における接続を確立させる手順であって、前記確立された接続が、前記データアクセス要求に関連するデータパケットを前記ホーム通信ネットワークと交換するために用いられる、手順とを、前記ハブ・ブレイクアウト・システムに実行させる、コンピュータプログラム。
【請求項３２】
請求項３０に記載のコンピュータプログラムにおいて、
前記ゲートウェイモジュールが、
前記訪問先通信ネットワーク、
前記ホーム通信ネットワーク、
ユーザのグループ、
前記選択されるゲートウェイモジュール、前記訪問先通信ネットワーク、または前記ホーム通信ネットワークの地理的位置、
ビジネス上の理由、
対応する通信経路における遅延、および
対応する通信リンクの能力
のうちの少なくとも１つに基づいて選択される、コンピュータプログラム。
【請求項３３】
請求項３１に記載のコンピュータプログラムにおいて、前記接続が、前記ハブ・ブレイクアウト・システムと前記訪問先通信ネットワークとの間で確立される汎用パケット無線サービス（ＧＰＲＳ）トンネリングプロトコル（ＧＴＰ）トンネルである、コンピュータプログラム。
【請求項３４】
請求項３１に記載のコンピュータプログラムにおいて、
前記ホーム通信ネットワークに、前記選択されたゲートウェイモジュールの指示を送信する手順が、
前記ホーム通信ネットワークから受信したサービスプロファイルであって、前記ユーザネットワーク装置のユーザのサービスプロファイルを修正する手順と、
前記修正されたサービスプロファイルを前記訪問先通信ネットワークに送信する手順とを含む、コンピュータプログラム。
【請求項３５】
請求項２９に記載のコンピュータプログラムにおいて、
前記少なくとも１つのデータソースが、
インターネットネットワーク、および
前記ホーム通信ネットワークのプライベートネットワーク
のうちの少なくとも１つを含む、コンピュータプログラム。
【請求項３６】
請求項２９に記載のコンピュータプログラムにおいて、前記コンピュータコード命令が、さらに、
前記ハブ・ブレイクアウト・システムで、１つまたは複数のＩＰアドレスを含むプライベートサブネットを、前記ホーム通信ネットワークに対して指定する手順を、前記ハブ・ブレイクアウト・システムに実行させる、コンピュータプログラム。
【請求項３７】
請求項２９に記載のコンピュータプログラムにおいて、
前記データパケットをルーティングする手順が、
前記ユーザネットワーク装置に割り当てられた前記ＩＰアドレスに基づいてデータパケットをルーティングするための１つまたは複数のルーティングポリシを用いることを含む、コンピュータプログラム。
【請求項３８】
請求項２９に記載のコンピュータプログラムにおいて、
前記ＩＰアドレスが、プライベートＩＰアドレスまたはパブリックＩＰアドレスである、コンピュータプログラム。
【請求項３９】
請求項２９に記載のコンピュータプログラムにおいて、
前記コンピュータコード命令が、さらに、
前記データアクセス要求に付随する課金データを前記ホーム通信ネットワークに送信する手順を、前記ハブ・ブレイクアウト・システムに実行させる、コンピュータプログラム。
【請求項４０】
請求項２９に記載のコンピュータプログラムにおいて、前記ホーム通信ネットワークおよび前記訪問先通信ネットワークが、無線ネットワークである、コンピュータプログラム。
【請求項４１】
請求項２９に記載のコンピュータプログラムにおいて、
前記ユーザネットワーク装置が、
モバイル装置、
タブレットコンピュータ、および
ラップトップコンピュータ
のうちの少なくとも１つである、コンピュータプログラム。
【請求項４２】
請求項２９に記載のコンピュータプログラムにおいて、
前記データアクセスの要求が、
音声サービス、
メッセージサービス、
映像サービス、および
データサービス
のうちの少なくとも１つにアクセスする要求である、コンピュータプログラム。